(57)【要約】【課題】上方からの押圧や衝撃によってヘッダーが損傷することを防止した架台、及び、それを備えた配管システムを提供することを課題とする。【解決手段】配管システム１０は、複数の継手が接続されたヘッダー１２と、ヘッダー１２が固定される架台１３とを有する。架台１３は、細長状の強度部材５１と、強度部材５１の下面側に取付けられ、ヘッダー１２を吊り下げるサイドバンド５６と、強度部材５１から延び出す脚部６３と、を有する。【選択図】図１
2010209931.tif 000002
【特許請求の範囲】
【請求項１】
主管部と前記主管部に設けられ枝配管を接続するための枝配管接続部とを有する複数のヘッダー基体を相対回転可能に連結させてなる連結式のヘッダーの上側に位置する強度部材と、
前記強度部材に取付けられ、前記ヘッダーを吊り下げて保持する吊下げ手段と、
前記強度部材から延び出す脚部と、
を備えた、架台。
【請求項２】
前記吊下げ手段として、前記強度部材の下面側に固定されたＵ字状のサイドバンドが設けられている、請求項１に記載の架台。
【請求項３】
前記強度部材が透明である、請求項１又は２に記載の架台。
【請求項４】
主管部と前記主管部に設けられ枝配管を接続するための枝配管接続部とを有する複数の継手を備えて、前記主管部の端部同士を相対回転可能に連結させてなる連結式のヘッダーを下方から支持する支持部と、
前記支持部に前記ヘッダーを固定する固定手段と、
前記支持部から延出し、天井に固定されるアーム部と、
を備えた、架台。
【請求項５】
前記固定手段として、前記強度部材の上面側に固定されたＵ字状のサイドバンドが設けられている、請求項４に記載の架台。
【請求項６】
前記支持部が透明である、請求項４又は５に記載の架台。
【請求項７】
請求項１〜３のうち何れか１項に記載の架台と、
前記吊下げ手段によって前記架台に吊下げられた前記ヘッダーと、
を備えた、配管システム。
【請求項８】
請求項４〜６のうち何れか１項に記載の架台と、
前記支持部によって前記架台に下方から支持された前記ヘッダーと、
を備えた、配管システム。
【発明の詳細な説明】
【技術分野】
【０００１】
本発明は、特に樹脂製のヘッダーを保護するのに最適な架台、及び、それを備えた配管システムに関する。
【背景技術】
【０００２】
家屋等の建築物では、床下に配管（例えば給水管や配水管）を敷設することが多い。例えば、共同住宅では、２階に配管を敷設する場合、２階の床下に配管を敷設する（例えば特許文献１参照）。
近年、共同住宅を始めとして戸建住宅にあっても、給水・給湯用の配管に樹脂管が広く用いられており、これに伴い、これらの管の継手も樹脂製のものが広く用いられるようになってきた。そして、通常はヘッダー部に主管を集め、これより必要な部位へ分岐管を配管するようになっている。
【０００３】
ところで、水を使う機器の数は様々であるため、機器の数に応じて複数の継手を連結するタイプの連結式ヘッダーが市販され使用されている。この連結式ヘッダーでは、各々の継手が回動自由となっており、所望の方向へ分岐管を配置できる特徴がある。
【先行技術文献】
【特許文献】
【０００４】
【特許文献１】特開２００３−２４９１７１号公報
【発明の概要】
【発明が解決しようとする課題】
【０００５】
ところで、この種のヘッダーは、建物のスラブ上に配置されるが、施工現場にて作業員が誤って踏み付けたりする場合がある。金属製のヘッダーは剛性が高いため、誤って踏み付けても破損することは考えられなかったが、軽量化のために合成樹脂で形成されているヘッダーを連結した連結式ヘッダーにおいては、金属製に比較して剛性が低いため、踏み付けたり、重量物を載せたり、運搬物を作業員が誤って落下させたりして曲げ応力がかかると、連結部分に応力が集中して連結式のヘッダーを破損することが考えられる。
【０００６】
本発明は、上記事実を考慮して、上方からの押圧や衝撃によってヘッダーが損傷することを防止した架台、及び、それを備えた配管システムを提供することを課題とする。
【課題を解決するための手段】
【０００７】
請求項１に記載の発明は、主管部と前記主管部に設けられ枝配管を接続するための枝配管接続部とを有する複数のヘッダー基体を相対回転可能に連結させてなる連結式のヘッダーの上側に位置する強度部材と、前記強度部材に取付けられ、前記ヘッダーを吊り下げて保持する吊下げ手段と、前記強度部材から延び出す脚部と、を備えている。
【０００８】
請求項１に記載の発明では、床スラブ上などに、吊下げ手段にヘッダーが吊り下げられた状態で架台が載置、或いは固定され得る。従って、ヘッダーを作業員が誤って踏みつけたり、運搬物を作業員が誤ってヘッダー上方から落下させたりしても、強度部材がヘッダーを保護しているのでヘッダーが損傷するおそれがない。
また、吊下げ手段で吊下げる形態なので、ヘッダーを強度部材に強固に固定する必要がない。このため、作業者や工具による過剰な負荷でヘッダーを損傷させるおそれがなくなる。
【０００９】
請求項２に記載の発明は、前記吊下げ手段として、前記強度部材の下面側に固定されたＵ字状のサイドバンドが設けられている。
サイドバンドの寸法は、サイドバンドのＵ字状部分の下端位置が脚部の下端位置よりも下方に出ない寸法とする。
【００１０】
請求項３に記載の発明は、前記強度部材が透明である。
これによりヘッダーを視認することができ、このことはヘッダーに異常が生じたときや点検時に特に有効である。
【００１１】
請求項４に記載の発明は、主管部と前記主管部に設けられ枝配管を接続するための枝配管接続部とを有する複数の継手を備えて、前記主管部の端部同士を相対回転可能に連結させてなる連結式のヘッダーを下方から支持する支持部と、前記支持部に前記ヘッダーを固定する固定手段と、前記支持部から延出し、天井に固定されるアーム部と、を備えている。
請求項４に記載の発明では、アームが天井に取付けられることにより、架台が上方から吊り下げられた状態とされる。従って、ヘッダーを作業員が誤って踏むことや、運搬物を作業員が誤ってヘッダー上に落下させることは生じない。
また、架台が上方から吊り下げられた状態では、支持部によってヘッダーが下方から支えられる。従って、作業者が作業中にヘッダーにぶら下がったり掴まったりして体重をヘッダーで支えても、支持部がヘッダーの補強部材としての役割を果たす。また、作業員がパイプをヘッダー分岐口に差し込んでパイプ巻き管をそのまま手放してヘッダーに荷重が掛かっても、支持部がヘッダーの補強部材としての役割を果たす。
【００１２】
請求項５に記載の発明は、前記固定手段として、前記強度部材の上面側に固定されたＵ字状のサイドバンドが設けられている。
サイドバンドの寸法は、サイドバンドのＵ字状部分の上端位置が脚部の上端位置よりも上方に出ない寸法とする。
【００１３】
請求項６に記載の発明は、前記支持部が透明である。
これによりヘッダーを視認することができ、このことはヘッダーに異常が生じたときに特に有効である。
【００１４】
請求項７に記載の発明は、請求項１〜３のうち何れか１項に記載の架台と、前記吊下げ手段によって前記架台に吊下げられた前記ヘッダーと、を備えている。
請求項７に記載の発明では、ヘッダーを作業員が誤って踏んだり、運搬物を作業員が誤ってヘッダー上方から落下させたりしても、強度部材がヘッダーを保護しているのでヘッダーが損傷するおそれがない。
【００１５】
請求項８に記載の発明は、請求項４〜６のうち何れか１項に記載の架台と、前記支持部によって前記架台に下方から支持された前記ヘッダーと、を備えている。
請求項８に記載の発明では、アーム部が天井などに取付けられることにより、配管システムが上方から吊り下げられた状態とされ得る。従って、ヘッダーを作業員が誤って踏むことや、運搬物を作業員が誤ってヘッダー上に落下させることは生じない。
また、配管システムが上方から吊り下げられた状態では、支持部によってヘッダーが下方から支えられる。従って、作業者が作業中にヘッダーにぶら下がったり掴まったりして体重をヘッダーで支えても、支持部がヘッダーの補強部材としての役割を果たす。また、作業員がパイプをヘッダー分岐口に差し込んでパイプ巻き管（例えば１０ｋｇ程度のもの）をそのまま手放してヘッダーに荷重が掛かっても、支持部がヘッダーの補強部材としての役割を果たす。
【発明の効果】
【００１６】
本発明によれば、上方からの押圧や衝撃によってヘッダーが損傷することを防止した架台、及び、それを備えた配管システムとすることができる。
【図面の簡単な説明】
【００１７】
【図１】第１実施形態に係る配管システムを示す斜視図である。
【図２】図２（Ａ）及び（Ｂ）は、それぞれ、第１実施形態に係る配管システムを製造する工程を示す斜視図である。
【図３】第１実施形態で説明したサイドバンドの変形例を示す側面断面図である。
【図４】第１実施形態で用いるヘッダーの部分平面図である。
【図５】第１実施形態で用いるヘッダー基体の側面部分断面図である。
【図６】第１実施形態で用いるヘッダー基体の連結状態を説明する平面図である。
【図７】第２実施形態に係る配管システムを示す斜視図である。
【図８】第１実施形態の変形例を示す模式図である。
【図９】第１実施形態の変形例を示す模式図である。
【図１０】第１実施形態の変形例を示す模式図である。
【図１１】第１実施形態の変形例を示す模式図である。
【発明を実施するための形態】
【００１８】
以下、実施形態を挙げ、本発明の実施の形態について説明する。なお、第２実施形態以下では、既に説明した構成要素と同様のものには同じ符号を付して、その説明を省略する。
【００１９】
［第１実施形態］
まず、第１実施形態について説明する。
図１、図２には、本実施形態に係る配管システム１０が示されている。配管システム１０には、連結式のヘッダー１２と、ヘッダー１２を吊り下げるとともにヘッダー１２の上側を保護する本実施形態に係る架台１３と、を備えている。
【００２０】
図４〜図６に示すように、ヘッダー１２は複数のヘッダー基体１４を連結したものである。このヘッダー基体１４は、主管部１６に枝配管接続部１８を一体的に備えている。主管部１６の内部には直線流路２０が設けられ、枝配管接続部１８の内部には立ち上り流路２２が設けられている。
【００２１】
枝配管接続部１８には、立ち上り流路２２と接続される樹脂パイプ２４に挿入される、例えば黒色に着色された合成樹脂性の内筒２６が設けられており、内筒２６の外表面に形成された周溝２８にオーリング３０が嵌め込まれている。
【００２２】
この内筒２６の外周側には、樹脂パイプ２４の挿入される隙間を介して透明な合成樹脂性の外筒３２が配置されている。この外筒３２の先端側には断面Ｖ字状とされたパイプ保持リング３４が配置され、外筒３２にはパイプ保持リング３４の抜けを防止するための筒状のキャップ３６が取り付けられている。
また、キャップ３６の内部には、パイプ保持リング３４の爪部の食い込みを解除する解放リング３８が装着されている。
【００２３】
内筒２６と外筒３２との間に樹脂パイプ２４が挿入されると、パイプ保持リング３４の内周側端部が樹脂パイプ２４の外周面に引っ掛かり、樹脂パイプ２４の抜けを阻止するようになっており、オーリング３０が樹脂パイプ２４の内周面に密着してシールを行う（いわゆる内面シール）。なお、樹脂パイプ２４は、内筒２６と外筒３２との間に挿入された状態で回転可能である。
【００２４】
また、解放リング３８を押し込んでパイプ保持リング３４に押圧すると、解放リング３８のテーパー部分がパイプ保持リング３４の内周側の傾斜面を摺動し、解放リング３４の内径が拡大して樹脂パイプ２４との引っ掛かりが解除され、樹脂パイプ２４を引き抜くことが出来る。
【００２５】
主管部１６の一方の端部も枝配管接続部１８と同様の構造となっており、他方の端部は樹脂パイプ２４と同一の内外径を有する筒体部４０となっており、内筒２６と外筒３２との間に挿入可能となっている。
【００２６】
したがって、ヘッダー基体１４の主管部１６の筒体部４０を隣接する他のヘッダー基体１４の主管部１６の内外筒間に挿入することで、図１、図２（Ｂ）の２二点鎖線で示すように、複数のヘッダー基体１４を直線状に連結して、各々のヘッダー基体１４が回転可能とされる連結式のヘッダー１２とすることが出来る。
【００２７】
図１、図２に示すように、架台１３には、剛性の強度部材５１と、ヘッダー１２を強度部材５１の下面側に吊り下げるサイドバンド５６と、が設けられている。本実施形態では、強度部材５１は透明であり、例えば強化プラスチック材で構成されている。
図２に示すように、強度部材５１は、ヘッダー１２を固定する際に上下逆向きにされる。そして、このときにヘッダー１２を載置する細長状の載置部５０が強度部材５１の幅方向中央位置に設けられている。更に、強度部材５１には、載置部５０の幅方向両側にそれぞれ連続する細長状の側部５２が形成されている。この側部５２には、後述のサイドバンド５６を固定するための細孔部５４が所定位置に形成されている。なお、図１、図２では、手前側に見える側部５２に形成された細孔部５４を図示したが、手前側とは反対側（向こう側）の長手方向側部にも、同様に細孔部が形成されている。
【００２８】
また、サイドバンド５６は載置部長手方向Ｕから見るとＵ字状であり、配管システム１０が設置された状態では、図１に示すように、下端部に、幅方向外側に向けて延び出すサイドバンド脚部６２が形成されている。そして、サイドバンド脚部６２の細孔部５４を挿通するビス、ネジやボルト等で、ヘッダー１２の位置に合わせて任意の位置でサイドバンド５６を固定できるように、すなわち、ヘッダー１２の長さに合わせて自由度を持たせてヘッダー１２を固定できるように、サイドバンド脚部６２には円孔部６４が形成されている。
【００２９】
また、架台１３は、各側部５２の長手方向両側の支持材角部から、すなわち強度部材５１の四隅からそれぞれ下方に延びるように取付けられた脚部６３を有する。脚部６３は、サイドバンド５６の下端５６Ｌよりも下方にまで延びている。脚部６３は強度部材５１に固着されていてもよいし、着脱自在に取付けられていてもよい。
【００３０】
本実施形態では、脚部６３が取付けられた強度部材５１を上下逆向きにして、すなわち、強度部材５１の裏面側を上向きにして、複数のヘッダー基体１４を連結したヘッダー１２を載置部５０に載置する。そして、サイドバンド５６を強度部材５１に取付ける。
その後、架台１３を上下反転させることにより、ヘッダー１２がサイドバンド５６に吊り下げられた状態となる。この架台１３を床スラブ上や天井上（天井の裏側）などの所定位置に載置、或いは固定する。
【００３１】
このように、本実施形態では、強度部材５１の下方側にサイドバンド５６でヘッダー１２が吊り下げられている。これにより、ヘッダー１２を作業員が上方から誤って踏んだり、運搬物を作業員が誤ってヘッダー１２の上方から落下させたりしても、強度部材５１が補強カバーの役割を果たしていてヘッダー１２を保護しているので、ヘッダー１２が損傷するおそれがない。
【００３２】
また、ヘッダー１２をサイドバンド５６で吊り下げており、強度部材５１に強固に固定する必要がない。なお、サイドバンド５６を強度部材５１に取付けることによりヘッダー１２を載置部５０に固定できる構成にすることも可能である。
更に、強度部材５１が透明であるので、ヘッダー１２を視認することができる。このことは、ヘッダー１２に異常が生じたときに特に有効である。
【００３３】
また、何れかのヘッダー基体１４を回転させることで、何れかの枝配管接続部１８を別の方向へ向けて配管接続することが可能である。例えば、図１、図２（Ｂ）の二点鎖線で示すように、ヘッダ一基体１４を９０°回転をさせて配管接続することが可能である。
【００３４】
また、以上の説明では、サイドバンド５６がＵ字状である例で説明したが、本実施形態ではこれに限らず、例えば、図３に示すように、サイドバンド下部５６Ｂが水平な直線状であってもよい。また、サイドバンド５６がビス、ネジやボルト等によって取付られる例で説明したが、サイドバンドがワンタッチで装着されるように、クランプ、蝶番や孔部等を必要に応じて強度部材５１に設けてもよい。
【００３５】
［第２実施形態］
次に、第２実施形態について説明する。図７には、本実施形態に係る配管システム７０が示されている。配管システム７０には、ヘッダー１２と、ヘッダー１２を下方から支える本実施形態に係る架台７３とを備えている。
【００３６】
架台７３には、細長状の載置部８０を有する支持材７１と、ヘッダー１２を載置部８０に固定するサイドバンド７６と、が設けられている。
支持材７１は、載置部８０の幅方向両側にそれぞれ連続する細長状の側部７２を有する。この側部７２には、サイドバンド７６を固定するための細孔部７４が所定位置に形成されている。なお、図７では、手前側に見える側部７２に形成された細孔部７４を図示したが、手前側とは反対側（向こう側）の長手方向側部にも、同様に細孔部が形成されている。
【００３７】
サイドバンド７６は、載置部長手方向Ｕから見るとＵ字状であり、下端部には、幅方向外側に向けて延び出すサイドバンド脚部８２が形成されている。そして、サイドバンド脚部８２が細孔部でネジ等により固定されている。
【００３８】
また、架台７３は、各側部７２の長手方向両側の支持材角部から、すなわち支持材７１の四隅からそれぞれ上方に延びるように取付けられたアーム部９２を有する。アーム部９２は、サイドバンド７６の上端７６Ｕよりも上方にまで延びている。
【００３９】
本実施形態では、アーム部９２が取付けられた支持材７１の載置部８０に、複数のヘッダー基体１４を連結したヘッダー１２を載置する。そして、サイドバンド７６でヘッダー１２を載置部８０に固定する。
そして、アーム部９２を天井Ｈの下面側に取付けることにより架台７３を天井Ｈから吊り下げた状態にする。
従って、ヘッダー１２を作業員が上方から誤って踏んだり、運搬物を作業員が誤ってヘッダー１２の上に落下させたりすることはない。
また、架台７３が上方から吊り下げられた状態では、支持材７１によってヘッダー１２が下方から支えられる。従って、作業者が作業中にヘッダー１２にぶら下がったり掴まったりして体重をヘッダー１２で支えても、支持材７１がヘッダー１２の補強部材としての役割を果たす。また、作業員がパイプをヘッダー分岐口に差し込んでパイプ巻き管（例えば１０ｋｇ程度のもの）をそのまま手放してヘッダー１２に荷重が掛かっても、支持材７１がヘッダー１２の補強部材としての役割を果たす。
【００４０】
以上、実施形態を挙げて本発明の実施の形態を説明したが、これらの実施形態は一例であり、要旨を逸脱しない範囲内で種々変更して実施できる。例えば、第１実施形態で説明した強度部材５１に代えて、平板状の強度部材１０２（図８参照）、ヘッダー１２が配置される側とは反対側に補強用凸部１０３を有する強度部材１０４（図９参照）、ヘッダー１２に対して凹状に湾曲している強度部材１０６（図１０参照）、ヘッダー１２に対して凹状となるように屈曲形状とされた強度部材１０８（図１１参照）、などを設けても良い。第２実施形態で説明した支持材７１についても同様である。また、本発明の権利範囲がこれらの実施形態に限定されないことは言うまでもない。
【符号の説明】
【００４１】
１０  配管システム
１２  ヘッダー
１３  架台
１６  主管部
１８  枝配管接続部
５１  強度部材
５６  サイドバンド（吊下げ手段、サイドバンド）
６３  脚部
７０  配管システム
７１  支持材（支持部）
７３  架台
７６  サイドバンド（吊下げ手段、サイドバンド）
９２  アーム部
【図１】
2010209931.tif 000003
【図２】
2010209931.tif 000004
【図３】
2010209931.tif 000005
【図４】
2010209931.tif 000006
【図５】
2010209931.tif 000007
【図６】
2010209931.tif 000008
【図７】
2010209931.tif 000009
【図８】
2010209931.tif 000010
【図９】
2010209931.tif 000011
【図１０】
2010209931.tif 000012
【図１１】
2010209931.tif 000013